(57)【特許請求の範囲】
【請求項１】
コンクリート部材の上面から突出したあばら筋の上部に上端筋が配筋され、前記あばら筋を覆う高さの突起部がコンクリート部材上面の両端側に形成され、該両端側に打ち継ぎ型枠を構成する型枠形成部が形成されてなるプレキャストコンクリート梁材を各柱間に架設し、これらのプレキャストコンクリート梁材間に、コンクリート板の四隅に突起部で平面三角形の型枠形成部が形成されてなるプレキャストコンクリート床板を設置して、前記プレキャストコンクリート梁材の型枠形成部と、プレキャストコンクリート床板の型枠形成部とで柱の周囲に打ち継ぎ型枠を形成し、該打ち継ぎ型枠にコンクリートを打設して柱とプレキャストコンクリート梁材とプレキャストコンクリート床板との打ち継ぎ部を形成し、該打ち継ぎ部の仕上げ施工を施工者が突起部から行うことを特徴とする鉄筋コンクリート構造物の構築工法。
【請求項２】
コンクリート部材の上面から突出したあばら筋の上部に上端筋が配筋され、前記あばら筋を覆う高さの突起部がコンクリート部材上面の中央部から両端側にかけて形成されて、コンクリート部材上面の両端側に打ち継ぎ型枠を構成する型枠形成部が形成されてなるプレキャストコンクリート梁材を各柱間に架設し、これらのプレキャストコンクリート梁材間に、コンクリート板の四隅に突起部で平面三角形の型枠形成部が形成されてなるプレキャストコンクリート床板を設置して、前記プレキャストコンクリート梁材の型枠形成部と、プレキャストコンクリート床板の型枠形成部とで柱の周囲に打ち継ぎ型枠を形成し、該打ち継ぎ型枠にコンクリートを打設して柱とプレキャストコンクリート梁材とプレキャストコンクリート床板との打ち継ぎ部を形成し、該打ち継ぎ部の仕上げ施工を施工者が突起部から行うことを特徴とする鉄筋コンクリート構造物の構築工法。
【請求項３】
コンクリート部材の上面から突出したあばら筋の上部に上端筋が配筋され、前記あばら筋を覆う高さの突起部がコンクリート部材上面の両端側に形成され、該両端側に打ち継ぎ型枠を構成する型枠形成部が形成されてなるプレキャストコンクリート梁材を各柱間に架設し、これらのプレキャストコンクリート梁材間に、中央部のフルプレキャスト部の四隅から二方向に延びた突起部でフルプレキャストコンクリート床板の四隅と四側部とに段状の型枠形成部が形成されたプレキャストコンクリート床板を設置して、前記プレキャストコンクリート梁材の型枠形成部と、プレキャストコンクリート床板の四隅の型枠形成部とで柱の周囲に打ち継ぎ型枠を形成するとともに、フルプレキャストコンクリート床板の四側部で梁の周囲に打ち継ぎ型枠を形成し、これらの打ち継ぎ型枠にコンクリートを打設して柱とプレキャストコンクリート梁材とプレキャストコンクリート床板との打ち継ぎ部および、プレキャストコンクリート梁材とプレキャストコンクリート床板との打ち継ぎ部を形成し、これらの打ち継ぎ部の仕上げ施工を施工者が突起部から行うことを特徴とする鉄筋コンクリート構造物の構築工法。
【請求項４】
プレキャストコンクリート梁材の木口面から下端筋および上端筋の先端部が突出されたことを特徴とする請求項１〜３のいずれかに記載の鉄筋コンクリート構造物の構築工法。
【請求項５】
打ち継ぎ型枠には柱と同強度のコンクリートを打設することを特徴とする請求項１〜３のいずれかに記載の鉄筋コンクリート構造物の構築工法。
【発明の詳細な説明】
【０００１】
【発明の属する技術分野】
本発明はプレキャストコンクリート梁材およびプレキャストコンクリート床板ならびに鉄筋コンクリート構造物の構築工法に関するものである。
【０００２】
【従来の技術】
鉄筋コンクリートによる超高層の建物を構築するには柱のコンクリート強度が重要になり、この柱と梁および床の打ち継ぎ部には、図１２の（１）に示すような打ち継ぎ型枠４４が形成され、ここに柱４５と同じ高強度のコンクリート４６が打設される。このコンクリート４６の打設は、同図の（２）および（３）に示すように、柱４５と、スラブとの間にさん木４８、または柱４５と、梁４７との間にエアチューブ４９による打ち継ぎ型枠４４を形成して行っていた。
【０００３】
【発明が解決しようとする課題】
しかし、上記のような構築工法には下記のような問題がある。
▲１▼  現場において梁用および床用の打ち継ぎ型枠を構成するために、作業工程が多くなる。
▲２▼  打ち継ぎ部に打設されたコンクリートにバイブレーターをかけると、型枠を形成する各エアチューブ間からコンクリートが漏れ出すため、その密実性を確認することが困難であった。
▲３▼  打ち継ぎ型枠へコンクリートを打設した後から梁および床のコンクリートを打設するまでの間に、打ち継ぎ型枠の解体作業を作業者がスラブ鉄筋に乗って行うため、この鉄筋を通じて打ち継ぎ部のコンクリートにクラックを発生させてしまう。
▲４▼  エアチューブなどの型枠形成材の揚げ降ろし作業が多くなる。
▲５▼  打ち継ぎ部のコンクリートの仕上げ施工をする際に、施工者がスラブ配筋上を移動するため、この鉄筋を通じて打ち継ぎ部のコンクリートにクラックを発生させてしまう。
▲６▼  打ち継ぎ部のコンクリートの仕上げ施工を、施工者が硬化前の梁および床の打設コンクリート上で行うため、そこの品質が低下する。
▲７▼  プレキャストコンクリート梁材の主筋を現場で仕込むため、本数などの仕込みミスが起きやすい。
▲８▼  柱間に架設したプレキャストコンクリート梁上で危険な主筋の移動作業をしなければならず、しかも主筋が太径である場合は移動が困難であった。
【０００４】
本発明は、このような問題に鑑みてなされたものであり、その目的は、打ち継ぎ型枠の簡単な形成、打ち継ぎコンクリートのクラックの発生防止、プレキャストコンクリート床板に打設されたコンクリートの品質を向上させることができるプレキャストコンクリート梁材およびプレキャストコンクリート床板ならびに鉄筋コンクリート構造物の構築工法を提供することである。
【０００５】
【課題を解決するための手段】
以上の課題を解決するための手段である鉄筋コンクリート構造物の構築工法は、コンクリート部材の上面から突出したあばら筋の上部に上端筋が配筋され、前記あばら筋を覆う高さの突起部がコンクリート部材上面の両端側に形成され、該両端側に打ち継ぎ型枠を構成する型枠形成部が形成されてなるプレキャストコンクリート梁材を各柱間に架設し、これらのプレキャストコンクリート梁材間に、コンクリート板の四隅に突起部で平面三角形の型枠形成部が形成されてなるプレキャストコンクリート床板を設置して、前記プレキャストコンクリート梁材の型枠形成部と、プレキャストコンクリート床板の型枠形成部とで柱の周囲に打ち継ぎ型枠を形成し、該打ち継ぎ型枠にコンクリートを打設して柱とプレキャストコンクリート梁材とプレキャストコンクリート床板との打ち継ぎ部を形成し、該打ち継ぎ部の仕上げ施工を施工者が突起部から行うことを特徴とする。またプレキャストコンクリート梁材の木口面から下端筋および上端筋の先端部が突出されたことを含む。また打ち継ぎ型枠には柱と同強度のコンクリートを打設することを含むものである。
また鉄筋コンクリート構造物の構築工法は、コンクリート部材の上面から突出したあばら筋の上部に上端筋が配筋され、前記あばら筋を覆う高さの突起部がコンクリート部材上面の中央部から両端側にかけて形成されて、コンクリート部材上面の両端側に打ち継ぎ型枠を構成する型枠形成部が形成されてなるプレキャストコンクリート梁材を各柱間に架設し、これらのプレキャストコンクリート梁材間に、コンクリート板の四隅に突起部で平面三角形の型枠形成部が形成されてなるプレキャストコンクリート床板を設置して、前記プレキャストコンクリート梁材の型枠形成部と、プレキャストコンクリート床板の型枠形成部とで柱の周囲に打ち継ぎ型枠を形成し、該打ち継ぎ型枠にコンクリートを打設して柱とプレキャストコンクリート梁材とプレキャストコンクリート床板との打ち継ぎ部を形成し、該打ち継ぎ部の仕上げ施工を施工者が突起部から行うことを特徴とする。またプレキャストコンクリート梁材の木口面から下端筋および上端筋の先端部が突出されたことを含む。また打ち継ぎ型枠には柱と同強度のコンクリートを打設することを含むものである。
また鉄筋コンクリート構造物の構築工法は、コンクリート部材の上面から突出したあばら筋の上部に上端筋が配筋され、前記あばら筋を覆う高さの突起部がコンクリート部材上面の両端側に形成され、該両端側に打ち継ぎ型枠を構成する型枠形成部が形成されてなるプレキャストコンクリート梁材を各柱間に架設し、これらのプレキャストコンクリート梁材間に、中央部のフルプレキャスト部の四隅から二方向に延びた突起部でフルプレキャストコンクリート床板の四隅と四側部とに段状の型枠形成部が形成されたプレキャストコンクリート床板を設置して、前記プレキャストコンクリート梁材の型枠形成部と、プレキャストコンクリート床板の四隅の型枠形成部とで柱の周囲に打ち継ぎ型枠を形成するとともに、フルプレキャストコンクリート床板の四側部で梁の周囲に打ち継ぎ型枠を形成し、これらの打ち継ぎ型枠にコンクリートを打設して柱とプレキャストコンクリート梁材とプレキャストコンクリート床板との打ち継ぎ部および、プレキャストコンクリート梁材とプレキャストコンクリート床板との打ち継ぎ部を形成し、これらの打ち継ぎ部の仕上げ施工を施工者が突起部から行うことを特徴とする。またプレキャストコンクリート梁材の木口面から下端筋および上端筋の先端部が突出されたことを含む。また打ち継ぎ型枠には柱と同強度のコンクリートを打設することを含むものである。
【０００６】
プレキャストコンクリート梁材とプレキャストコンクリート床板の型枠形成部とにより、柱および梁の周囲に打ち継ぎ型枠を簡単に形成することができるとともに、打ち継ぎコンクリートにクラックが発生するのを防ぐことができ、かつプレキャストコンクリート床板に打設されたコンクリートの品質を向上させることができる。またプレキャストコンクリート梁材を柱間に架設すると、柱の周囲に型枠形成部による打ち継ぎ型枠が形成される。またプレキャストコンクリート床板をプレキャストコンクリート梁材間に敷設すると、柱および梁の周囲に型枠形成部により打ち継ぎ型枠を形成することができる。またコンクリート部材の上面の両端部にだけ突起部による型板形成部を形成することができるとともに、コンクリート部材の上面中央部へのコンクリートの打設作業を省くことができる。またプレキャストコンクリート梁材およびプレキャストコンクリート床板とを簡単に接合することができる。また型枠形成部以外へのコンクリートの打設作業を省くことができる。また柱と、プレキャストコンクリート梁材およびプレキャストコンクリート床板との接合が強固になる。
【００２７】
【発明の実施の形態】
以下、本発明のプレキャストコンクリート梁材（以下ＰＣ梁材）およびプレキャストコンクリート床板（以下ＰＣ床板という）ならびに鉄筋コンクリート構造物の構築工法（以下、構造物の構築工法という）の実施の形態を図面に基づいて説明する。はじめにＰＣ梁材およびＰＣ床板の実施の形態について説明し、その後に構造物の構築工法の実施の形態について説明する。
【００２８】
ＰＣ梁材は第１および第２の実施の形態があり、図１は第１の実施の形態のＰＣ梁材の斜視図、図２は第２の実施の形態のＰＣ梁材の斜視図を示す。
【００２９】
第１の実施の形態のＰＣ梁材１は、図１に示すように、プレキャストコンクリート部材（以下ＰＣ部材という）２の上面からあばら筋３の上部が突設し、ここに上端筋４が配筋され、該上端筋４および下端筋５の先端部が木口面６から突出している。ＰＣ部材２の上面の両端側にはあばら筋３を覆う高さの突起部７により型枠形成部８が形成されている。前記突起部７は上面の横幅よりもやや狭く形成され、その両側にはＰＣ床板用の載置部９が形成されている。
【００３０】
第２の実施の形態のＰＣ梁材１０は、図２に示すように、前記と同様のＰＣ部材２の上面の両端側に、中央部から両端側にかけた突起部１１により型枠形成部８が形成され、前記突起部１１の両側面にはコッタ１２が形成されている。このＰＣ梁材１０は、突起部１１以外が第１の実施の形態と同じ構成である。
【００３１】
また、図３〜図５はＰＣ床板の実施の形態を示し、図３は第１の実施の形態のＰＣ床板の斜視図、図４は第２の実施の形態のＰＣ床板の斜視図、図５は第３の実施の形態のＰＣ床板の斜視図をそれぞれ示す。
【００３２】
第１の実施の形態のＰＣ床板１３は、図３の（１）に示すように、いわゆるハーフＰＣ床板１４の四隅に型枠形成部１５が形成されたものである。このハーフＰＣ床板１４とはコンクリート板１６の上面から、一本の上端筋１７と二本の下端筋（図示せず）とが波形のラチス筋１９で連結されてなるトラス筋２０の上部が突出し、上面に現場打ちコンクリートが打設されるスペース２１が形成されたものをいう。また、型枠形成部１５は平面三角形のフルプレキャストコンクリートの突起部２２により平面三角形に形成され、ここにはトラス筋２０が配筋されていないが、先端部には柱との接合溝２３が形成されている。一方、突起部２２にはトラス筋２０が埋設され、かつ曲げ補強筋２４が配筋されている。この突起部２２は（１）に示すような平面三角形に限らず、（２）に示すような平面長方形の突起部２５であってもよい。
【００３３】
第２の実施の形態のＰＣ床板２６は、図４に示すように、いわゆるフルＰＣ床板２７の四隅に平面三角形の段状の型枠形成部２８が形成されたものである。このフルＰＣ床板２７とは型枠形成部２８を除く全ての箇所が完成された、すなわちフルプレキャスト部２９として構成されたものをいい、前記の型枠形成部２８にのみ現場打ちコンクリートが打設されるようになっている。また型枠形成部２８は前記と同じ平面三角形であり、ここにはトラス筋２０が配筋されていないが、先端部には柱との接合溝２３が形成されている。また、フルＰＣ床板２７の四側面にはコッタ３０が設けられている。
【００３４】
第３の実施の形態のＰＣ床板３１は、図５に示すように、いわゆるフルＰＣ床板３２の四隅と四側部とに段状の型枠形成部３３、３４が形成されたものである。このフルＰＣ床板３２とは前記と同じものをいい、中央部のフルプレキャスト部３５から延びた突起部３６で四隅の型枠形成部３３と四側部の型枠形成部３４とが形成されている。これらの型枠形成部３３、３４にはフルプレキャスト部３５から延びたトラス筋２０と曲げ補強筋２４とが配筋され、四隅の型枠形成部３３の先端部には前記と同じ接合溝２３が形成されている。
【００３５】
また図６〜図１１は上記のＰＣ梁材１、１０とＰＣ床板１３、２６、３１とを利用した構造物の構築工法の第１〜第３の実施の形態を示し、図６は第１の実施の形態の構造物の構築工法の平面図および断面図、図８は第２の実施の形態の構造物の構築工法の平面図および断面図、図１０は第３の実施の形態の構造物の構築工法の平面図および断面図である。
【００３６】
第１の実施の形態の構造物の構築工法は、図６に示すように、図１のＰＣ梁材１と、図３のＰＣ床板１３とを利用したものであり、予め工場で製造したプレキャストコンクリート部材１、１３を現場に搬入して組み立てる。はじめに現場打ちコンクリートで高強度（６００ｋｇ／ｍ2以上）の柱３７を構築し、これらの柱３７間にＰＣ梁材１を架設する。次に、これらＰＣ梁材１間にＰＣ床板１３を敷設するとＰＣ梁材１の型枠形成部８と、ＰＣ床板１３の型枠形成部１５とにより各柱３７の周囲に打ち継ぎ型枠３８が形成される。一方、柱３７内には、図７に示すように、ＰＣ梁材１の上端筋４および下端筋５の先端部が配筋されて柱と接合されている。
【００３７】
次に、打ち継ぎ型枠３８に柱３７と同強度のコンクリート３９が打設されて柱３７と、ＰＣ梁材１およびＰＣ床板１３との打ち継ぎ部４０が形成される。そして、この打ち継ぎ部４０の仕上げ施工を、施工者がＰＣ梁材１の突起部７とＰＣ床板の突起部１１とに乗って行い、前記コンクリート３９が硬化する前に、ＰＣ梁材１とＰＣ床板１３との残りのスペース２１に柱のコンクリート３９よりも低強度のコンクリート４１を打設して所定階のスラブ４２を構築する。このような作業を各階ごとに順次繰り返すことにより鉄筋コンクリート構造物が構築される。
【００３８】
第２の実施の形態の構造物の構築工法は、図８に示すように、図２のＰＣ梁材１０と、図４のＰＣ床板２６とを利用したものであり、これを利用した以外は前記と同じ方法で構築する。この場合はＰＣ梁材１０を各柱３７間に架設し、これらのＰＣ梁材１０間にＰＣ床板２６を敷設すると、前記と同様に柱３７の周囲に型枠形成部１５、２８による打ち継ぎ型枠３８が形成されるが、残りは全てフルプレキャスト部２９であるため、打ち継ぎ型枠３８に柱３７と同じコンクリート３９を打設すると所定階のスラブ４２が構築される。したがって、打ち継ぎ部４０の仕上げ施工を、施工者がフルプレキャスト部２９に乗って行うことができるので、打ち継ぎ部４０にクラックが発生するのを防ぐことができるとともに、ＰＣ床板２６の品質を向上させることができ、しかもここ以外への現場打ちコンクリートの打設を省くことができる。なお、柱３７とＰＣ梁材１０の接合部との構造は、図９に示すように、前記と同じである。
【００３９】
第３の実施の形態の構造物の構築工法は、図１０に示すように、図１のＰＣ梁材１と、図５のＰＣ床板３１を利用したものであり、これを利用した以外は前記と同じ方法で構築する。この場合はＰＣ梁材１を各柱３７間に架設し、これらのＰＣ梁材１間にＰＣ床板３１を敷設すると、柱および梁の周囲に型枠形成部３３、３４による打ち継ぎ型枠３８、４３が形成され、柱の周囲の打ち継ぎ型枠３８に柱と同じコンクリート３９を打設するとともに、梁の周囲の打ち継ぎ型枠４３にＰＣ床板３１と同じコンクリート４１を打設して所定階のスラブ４２を構築する。したがって、前記と同様に打ち継ぎ部４０の仕上げ施工を、施工者がフルプレキャスト部３５に乗って行うことができるので、打ち継ぎ部４０にクラックが発生するのを防ぐことができるとともに、ＰＣ床板３１の品質を向上させることができる。なお、柱３７とＰＣ梁材１との接合部の構造は、図１１に示すように、前記と同じである。
【００４０】
なお、構造物の構築工法は上記のような組み合わせに限らず、ＰＣ梁材１、１０とＰＣ床板１３、２６、３１とを自由に組み合わせることもできる。
【００４１】
【発明の効果】
プレキャストコンクリート梁材を柱間に架設すると、柱の周囲に型枠形成部による打ち継ぎ型枠を簡単に形成することができる。
【００４２】
コンクリート部材の上面の両端部にだけ突起部による型板形成部を形成することができるとともに、コンクリート部材へのコンクリートの打設作業を省くことができる。
【００４３】
下端筋および上端筋の先端部により、柱とＰＣ梁材とを簡単に接合することができる。
【００４４】
ＰＣ床板をＰＣ梁材間に敷設することにより、柱および梁の周囲に型枠形成部による打ち継ぎ型枠を簡単に形成することができる。
【００４５】
コンクリート板の隅または側部と、隅および側部とに突起部による打ち継ぎ型枠を形成することができる。
【００４６】
型枠形成部以外へのコンクリートの打設作業を省くことができる。
【００４７】
コンクリート板の上面の一部に突起部による型板形成部を形成することができる。
【００４８】
ＰＣ梁材およびＰＣ床板の型枠形成部により、柱および梁の周囲に打ち継ぎ型枠を簡単に形成することができるとともに、打ち継ぎコンクリートにクラックが発生するのを防ぐことができ、かつＰＣ床板に打設したコンクリートの品質を向上させることができる。
【００４９】
柱と、ＰＣ梁材およびＰＣ床板との接合が強固になる。
【００５０】
ＰＣ梁材への主筋の仕込みミスが起きない。
【００５１】
柱間に架設したＰＣ梁材上の主筋の移動作業を省くことができる。
【図面の簡単な説明】
【図１】第１の実施の形態のＰＣ梁材の斜視図である。
【図２】第２の実施の形態のＰＣ梁材の斜視図である。
【図３】（１）は第１の実施の形態のＰＣ床板の斜視図、（２）は同要部の斜視図である。
【図４】第２の実施の形態のＰＣ床板の斜視図である。
【図５】第３の実施の形態のＰＣ床板の斜視図である。
【図６】（１）は第１の実施の形態の構造物の構築工法の平面図、（２）は同断面図である。
【図７】第１の実施の形態の構造物の構築工法の要部の斜視図である。
【図８】（１）は第２の実施の形態の構造物の構築工法の平面図、（２）は同断面図である。
【図９】第２の実施の形態の構造物の構築工法の要部の斜視図である。
【図１０】（１）は第３の実施の形態の構造物の構築工法の平面図、（２）は同断面図である。
【図１１】第３の実施の形態の構造物の構築工法の要部の斜視図である。
【図１２】（１）は従来の構造物の構築工法を示す正面図、（２）および（３）は同断面図である。
【符号の説明】
１、１０  ＰＣ梁材
２  ＰＣ部材
３  あばら筋
４、１７  上端筋
５  下端筋
６  木口面
７、１１、２２、２５、３６  突起部
８、１５、２８、３３、３４  型枠形成部
９  載置部
１２、３０  コッタ
１３、２６、３１  ＰＣ床板
１４  ハーフＰＣ床板
１６  コンクリート板
１９  ラチス筋
２０  トラス筋
２１  スペース
２３  接合溝
２４  曲げ補強筋
２７、３２  フルＰＣ床板
２９、３５  フルプレキャスト部
３７、４５  柱
３８、４３、４４  打ち継ぎ型枠
３９、４１、４６  コンクリート
４０  打ち継ぎ部
４２  スラブ
４７  梁
４８  床
【図１】
0003711322.tif 000002
【図２】
0003711322.tif 000003
【図３】
0003711322.tif 000004
【図４】
0003711322.tif 000005
【図５】
0003711322.tif 000006
【図６】
0003711322.tif 000007
【図７】
0003711322.tif 000008
【図８】
0003711322.tif 000009
【図９】
0003711322.tif 000010
【図１０】
0003711322.tif 000011
【図１１】
0003711322.tif 000012
【図１２】
0003711322.tif 000013